(57)【要約】【課題】  撮影された画像の特性や傾向をより簡単に判断できるようにし、レタッチをより簡単且つ適切に実現させる。【解決手段】  画像撮影装置は被写体の撮影の都度、ユーザの撮影傾向に関する情報を記憶し、記憶された撮影傾向に関する情報を次の撮影の際に表示部３aに表示して、ユーザに撮影傾向を知らせる。その後、表示された撮影傾向に関する情報をユーザが選択可能とし、撮影傾向に関する情報に対応した画像処理が行われるようにする。【選択図】  図１４
2005072949.tif 000002
【特許請求の範囲】
【請求項１】
レンズ部を介して被写体を電子的に撮影する撮影手段と、
この撮影手段によって撮影された画像を表示する表示手段と、
撮影時の制御値を累積的に記憶する制御値記憶手段と、
この制御値記憶手段によって記憶された制御値の統計的な特徴値を算出する統計的特徴値算出手段と、
この統計的特徴値算出手段によって算出された特徴値を前記表示手段に表示させるように制御する特徴値表示制御手段と、
を備えることを特徴とする画像撮影装置。
【請求項２】
前記制御値記憶手段は、前記制御値として、撮影時の絞り、シャッタースピード、前記レンズ部の焦点距離及び被写体距離を記憶する手段を有することを特徴とする請求項１に記載の画像撮影装置。
【請求項３】
撮影時における前記画像撮影装置の揺れ量を検出する揺れ量検出手段を更に備え、
前記制御値記憶手段は、この揺れ量検出手段によって検出された揺れ量を前記制御値として記憶する揺れ量記憶手段を有し、
前記統計的特徴値算出手段は、前記検出された揺れ量の統計的な特徴値を算出する手段である、
ことを特徴とする請求項２に記載の画像撮影装置。
【請求項４】
ユーザの身体的特徴量を検出する身体的特徴検出手段と、
この身体的特徴検出手段によって検出された身体的特徴量を有するユーザを判定するユーザ判定手段と、を備え、
前記制御値記憶手段は、ユーザ毎に前記身体的特徴量を対応付けて記憶し、前記ユーザ判定手段によって判定されたユーザを対象にして撮影毎に新しい制御値を累積的に記憶する手段であり、
前記統計的特徴値算出手段は、前記ユーザ判定手段によって判定されたユーザに対応付けて記憶されている制御値の統計的な特徴値を算出する手段である、
ことを特徴とする請求項１〜３の何れか一項に記載の画像撮影装置。
【請求項５】
被写体を電子的に撮影する撮影手段と、
この撮影手段によって撮影された画像を表示する表示手段と、
前記撮影手段によって撮影された画像の画像解析をする画像解析手段と、
この画像解析手段による解析結果を累積的に記憶する解析結果記憶手段と、
この解析結果記憶手段によって記憶された解析結果の統計的な特徴値を算出する統計的特徴値算出手段と、
この統計的特徴値算出手段によって算出された特徴値を前記表示手段に表示させるように制御する特徴値表示制御手段と、
を備えることを特徴とする画像撮影装置。
【請求項６】
前記画像解析手段は、前記撮影された画像の輝度の度数分布、又は原色別の輝度の度数分布を求めることで画像解析を実行する分布算出手段を有する、ことを特徴とする請求項５に記載の画像撮影装置。
【請求項７】
前記画像解析手段は、前記撮影手段によって撮影された画像が、前記表示手段にプレビュー表示されている間に、当該表示されている画像について画像解析を実行する解析実行タイミング制御手段を有する、ことを特徴とする請求項５又は６に記載の画像撮影装置。
【請求項８】
ユーザの身体的特徴量を検出する身体的特徴検出手段と、
この身体的特徴検出手段によって検出された身体的特徴量を有するユーザを判定するユーザ判定手段と、を備え、
前記解析結果記憶手段は、ユーザ毎に前記解析結果を対応づけて記憶し、前記ユーザ判定手段によって判定されたユーザを対象にして撮影毎に新たな解析結果を累積的に記憶する手段であり、
前記統計的特徴値算出手段は、前記ユーザ判定手段によって判定されたユーザに対応付けて記憶されている前記解析結果について統計的な特徴値を算出する手段である、
ことを特徴とする請求項５〜７の何れか一項に記載の画像撮影装置。
【請求項９】
レンズ部を介して被写体を電子的に撮影する撮影手段と、
この撮影手段によって撮影された画像を表示する表示手段と、
前記被写体の具備する発信装置から無線発信された、該被写体に関する情報を含む被写体情報を受信する被写体情報受信手段と、
この被写体情報受信手段で受信した被写体情報を累積的に記憶する被写体情報記憶手段と、
この被写体情報記憶手段によって記憶された被写体情報の統計的な特徴値を算出する統計的特徴値算出手段と、
この統計的特徴値算出手段によって算出された特徴値を前記表示手段に表示させるように制御する特徴値表示制御手段と、
を備えることを特徴とする画像撮影装置。
【請求項１０】
撮影時の地理的位置情報を取得する位置情報取得手段と、
撮影時の撮影方向を検出する撮影方向検出手段と、
撮影時の前記レンズ部の焦点距離を検出する焦点距離検出手段と、
撮影時の被写体距離を検出する被写体距離検出手段と、
前記位置情報取得手段によって取得された地理的位置情報、前記撮影方向検出手段によって検出された撮影方向、前記焦点距離検出手段によって検出された焦点距離及び前記被写体距離検出手段によって検出された被写体距離を、自画像撮影装置の識別情報と対応づけて無線発信する制御値発信手段と、
を備えることを特徴とする請求項９に記載の画像撮影装置。
【請求項１１】
ユーザの身体的特徴量を検出する身体的特徴検出手段と、
この身体的特徴検出手段によって検出された身体的特徴量を有するユーザを判定するユーザ判定手段と、を備え、
前記被写体情報記憶手段は、ユーザ毎に前記被写体情報を対応づけて記憶し、前記ユーザ判定手段によって判定されたユーザを対象にして撮影毎に新たに受信した被写体情報を累積的に記憶する手段であり、
前記統計的特徴値算出手段は、前記ユーザ判定手段によって判定されたユーザに対応付けて記憶されている前記被写体情報について統計的な特徴値を算出する手段である、
ことを特徴とする請求項９又は１０に記載の画像撮影装置。
【請求項１２】
複数種類のフォトレタッチプログラムを記憶するフォトレタッチプログラム記憶手段と、
前記統計的特徴値算出手段によって算出された特徴値に基づいて前記各フォトレタッチプログラムに優先度を設定する優先度設定手段と、
この優先度設定手段によって設定された優先度の高い方から順に、当該フォトレタッチプログラムの識別子を前記表示手段に表示させるように制御する識別子表示制御手段と、
ユーザの操作に基づいて前記複数のフォトレタッチプログラムの中から何れかを選択する選択手段と
この選択手段によって選択されたフォトレタッチプログラムに従って前記撮影手段によって撮影された画像に画像処理を実行する画像処理手段と、
を備えることを特徴とする請求項１〜１１の何れか一項に記載の画像撮影装置。
【請求項１３】
前記フォトレタッチプログラム記憶手段に、任意の追加プログラムと当該追加プログラムの優先度とを対応づけて記憶させるプログラム追加手段を備え、
前記識別子表示制御手段は、前記フォトレタッチプログラム毎に設定された優先度と、前記追加プログラムの優先度とを比較し、優先度の高い方から順に、前記フォトレタッチプログラム及び前記追加プログラムの識別子を表示制御する手段である、
ことを特徴とする請求項１２に記載の画像撮影装置。
【請求項１４】
複数種類のフォトレタッチプログラムを記憶するフォトレタッチプログラム記憶手段と、
前記統計的特徴値算出手段によって算出された特徴値に基づいて前記各フォトレタッチプログラムに優先度を設定する優先度設定手段と、
この優先度設定手段によって設定された優先度の高い方から順に、所定数のフォトレタッチプログラムを選択し、選択したフォトレタッチプログラムに従って前記撮影手段によって撮影された画像に自動的に画像処理を実行する画像処理手段と、
を備えることを特徴とする請求項１〜１１の何れか一項に記載の画像撮影装置。
【請求項１５】
前記フォトレタッチプログラム記憶手段に、任意の追加プログラムと当該追加プログラムの優先度とを対応づけて記憶させるプログラム追加手段を備え、
前記画像処理手段は、前記フォトレタッチプログラム毎に設定された優先度と、前記追加プログラムの優先度とを比較し、より優先度の高い方から順に所定数のフォトレタッチプログラムを選択して画像処理を実行する手段である、
ことを特徴とする請求項１４に記載の画像撮影装置。
【請求項１６】
前記プログラム追加手段は、
ユーザ操作に従って、前記画像処理手段が実行可能な複数のスクリプトを編集して前記追加プログラムを作成する追加プログラム作成手段と、
この追加プログラム作成手段によって作成された追加プログラムの優先度を、ユーザ操作に従って設定する追加プログラム優先度設定手段と、
を有することを特徴とする請求項１３又は１５に記載の画像撮影装置。
【請求項１７】
レンズ部を介して被写体を電子的に撮影する撮影手段を備えたコンピュータに、
この撮影手段によって撮影された画像を表示する表示機能と、
撮影時の制御値を累積的に記憶する制御値記憶機能と、
この制御値記憶機能によって記憶された制御値の統計的な特徴値を算出する統計的特徴値算出機能と、
この統計的特徴値算出機能によって算出された特徴値を表示させるように制御する特徴値表示制御機能と、
を実現させるためのプログラム。
【請求項１８】
レンズ部を介して被写体を電子的に撮影する撮影手段を備えたコンピュータに、
この撮影手段によって撮影された画像を表示する表示機能と、
前記撮影手段によって撮影された画像の画像解析をする画像解析機能と、
この画像解析機能による解析結果を累積的に記憶する解析結果記憶機能と、
この解析結果記憶機能によって記憶された解析結果の統計的な特徴値を算出する統計的特徴値算出機能と、
この統計的特徴値算出機能によって算出された特徴値を表示させるように制御する特徴値表示制御機能と、
を実現させるためのプログラム。
【請求項１９】
レンズ部を介して被写体を電子的に撮影する撮影手段を備えたコンピュータに、
この撮影手段によって撮影された画像を表示する表示機能と、
前記被写体の具備する発信装置から無線発信された、該被写体に関する情報を含む被写体情報を受信する被写体情報受信機能と、
この被写体情報受信機能で受信した被写体情報を累積的に記憶する被写体情報記憶機能と、
この被写体情報記憶機能によって記憶された被写体情報の統計的な特徴値を算出する統計的特徴値算出機能と、
この統計的特徴値算出機能によって算出された特徴値を表示させるように制御する特徴値表示制御機能と、
を実現させるためのプログラム。
【請求項２０】
被写体を電子的に撮影する撮影部とこの撮影部によって撮影された画像を表示する表示部とを備えている画像撮影装置において、
前記撮影部による撮影に基づいて撮影傾向に関する撮影傾向情報を記憶する撮影傾向情報記憶手段と、
この撮影傾向情報記憶手段によって記憶された撮影傾向情報を前記撮影部による撮影の際に前記表示手段に表示させるように制御する表示制御手段と、
を備えることを特徴とする画像撮影装置。
【請求項２１】
前記表示制御手段による制御により撮影傾向情報が表示された後において、前記撮影部による撮影が行われた際に前記撮影傾向情報に対応した画像処理を行う画像処理手段を更に備えることを特徴とする請求項２０に記載の画像撮影装置。
【発明の詳細な説明】
【技術分野】
【０００１】
本発明は、被写体を電子的に撮影する撮影手段を備えた画像撮影装置等に関する。
【背景技術】
【０００２】
従来から、被写体を電子的に撮影するデジタルカメラと言われる画像撮影装置が知られている。デジタルカメラは、レンズを通してＣＣＤ（Charge Coupled Device）等の撮像素子で取り込んだデジタル画像を記憶装置に保存する。
【０００３】
近年では、例えばシャッタースピード、ＩＳＯ感度、絞り等を組み合わせた撮影条件（撮影モードとも言う）を、デジタルカメラ内に予め記憶させておき、撮影時に撮影モードを読み出すものもある（例えば、特許文献１参照）。
【特許文献１】特開２０００−１９６９４６号公報
【発明の開示】
【発明が解決しようとする課題】
【０００４】
通常、デジタルカメラで撮影された画像は、パソコン等で様々な画像処理を施してから利用する場合が多い。例えば、明暗のメリハリが少ない、所謂「ねむい」画像に対しては、コントラストの調節やトーンカーブの調節を行う。また、撮影時の光源の色に影響されたために、白いはずの部分が白く写っていない画像に対しては、カラーバランスの補正を行って被写体本来の色が現われるようにする。
【０００５】
こうした撮影後の画像に対する画像処理を「レタッチ」という。適切なレタッチは対象とする画像によって異なるのが当たり前であり、対象とする画像の特性や傾向を適確に判断し、それに適当なレタッチの方法を選択することが重要となる。
【０００６】
ところが、一般のユーザは画像処理に不慣れな場合が多く、対象とする画像の特性や傾向を判断することも難しい。そのため、レタッチを行っても、不要なレタッチを繰り返して作業量の割に目標とする画質の改善が得られない場合や、不適切なレタッチを行ったばかりにむしろ画像の質を落としてしまうといった場合が多かった。
【０００７】
本発明は、こうした課題を鑑みてなされたものであり、その目的とするところは、レタッチの際に撮影された画像の特性や傾向をより簡単に判断できるようにし、レタッチをより簡単且つ適切に実現させることである。
【課題を解決するための手段】
【０００８】
上記課題を解決するために、請求項１に記載の発明の画像撮影装置は、レンズ部を介して被写体を電子的に撮影する撮影手段（例えば、図１の撮影レンズ１００４、撮像素子１００６、測光センサ１０２６、制御ユニット１０２０、図２のＣＵ１０、撮影部１２、図６のステップＳ４０）と、この撮影手段によって撮影された画像を表示する表示手段（例えば、図１のディスプレイ１００８、図２のＣＰＵ１０、表示部４０、図６のステップＳ４６）と、撮影時の制御値を累積的に記憶する制御値記憶手段（例えば、図１のメモリカード１０１２、スロット１０１４、制御ユニット１０２０、図２のＣＰＵ１０、記憶媒体読取部７０、記憶媒体７２、図６のステップＳ４４）と、この制御値記憶手段によって記憶された制御値の統計的な特徴値を算出する統計的特徴値算出手段（例えば、図１の制御ユニット１０２０、図２のＣＰＵ１０、図６のステップＳ４８）と、この統計的特徴値算出手段によって算出された特徴値を前記表示手段に表示させるように制御する特徴値表示制御手段（例えば、図２のＣＰＵ１０、図６のステップＳ１６〜Ｓ１８、図８の特徴値表示部Ｍ２）と、を備えることを特徴とする。
【０００９】
また、請求項１７に記載の発明のプログラムは、レンズ部を介して被写体を電子的に撮影する撮影手段（例えば、図１の撮影レンズ１００４、撮像素子１００６、測光センサ１０２６、制御ユニット１０２０、図２のＣＵ１０、撮影部１２）を備えたコンピュータに、この撮影手段によって撮影された画像を表示する表示機能（例えば、図１のディスプレイ１００８、図２のＣＰＵ１０、表示部４０、図６のステップＳ４６）と、撮影時の制御値を累積的に記憶する制御値記憶機能（例えば、図１のメモリカード１０１２、スロット１０１４、制御ユニット１０２０、図２のＣＰＵ１０、記憶媒体読取部７０、記憶媒体７２、図６のステップＳ４４）と、この制御値記憶機能によって記憶された制御値の統計的な特徴値を算出する統計的特徴値算出機能（例えば、図１の制御ユニット１０２０、図２のＣＰＵ１０、図６のステップＳ４８）と、この統計的特徴値算出機能によって算出された特徴値を表示させるように制御する特徴値表示制御機能（例えば、図２のＣＰＵ１０、図６のステップＳ１６〜Ｓ１８、図８の特徴値表示部Ｍ２）と、を実現させる。
【００１０】
より具体的には、請求項２に記載の発明のように、前記制御値記憶手段は、前記制御値として、撮影時の絞り、シャッタースピード、前記レンズ部の焦点距離及び被写体距離を記憶する手段を有することを特徴とする。
【００１１】
制御値とは、画像撮影装置が被写体の画像を撮影する際に、装置各部を制御するための設定値であり、撮影条件に該当する値である。例えば、撮影時の絞り、シャッタースピード、前記レンズ部の焦点距離及び被写体距離がこれに該当する。その他、フラッシュの有無、フラッシュの投光時間、ＩＳＯ感度、撮影モードも含まれる。
【００１２】
請求項１及び１７に記載の発明によれば、画像撮影装置は撮影時の制御値を累積的に記憶することで、ユーザの撮影傾向に関する情報を記憶する。そして、記憶された制御値の統計的特徴値を算出し表示して、ユーザに知らせることができる。統計的特徴値とは、例えば、平均値、最大値、最小値、最頻度値、所定の帯域ごとの頻度値や割合である。したがって、ユーザは表示された統計的特徴値を見ることで、自身の撮影傾向を知り、そこから撮影された画像の特性や傾向を容易に把握し、自身の撮影傾向に適当なレタッチを判断することが可能となる。
【００１３】
より好適には、請求項３に記載の発明のように、請求項２に記載の発明であって、撮影時における前記画像撮影装置の揺れ量を検出する揺れ量検出手段（例えば、図１のブレ検出センサ１０２４、図２のＣＰＵ１０、揺れ量検出部１６）を更に備え、前記制御値記憶手段は、この揺れ量検出手段によって検出された揺れ量を前記制御値として記憶する揺れ量記憶手段（例えば、図２のＣＰＵ１０、図５の揺れ量７２２ｃ−６、図６のステップＳ４４）を有し、前記統計的特徴値算出手段は、前記検出された揺れ量の統計的な特徴値を算出する手段である、こととするとしても良い。
【００１４】
請求項３に記載の発明によれば、画質に最も端的に影響を与える撮影時の装置の揺れ量を検出し、その統計的特徴値を算出し表示してユーザに知らせることができる。したがって、ユーザは撮影時の手ブレの傾向を容易に把握し、適切なレタッチを施すといったことができる。
【００１５】
請求項４に記載の発明は、請求項１〜３の何れか一項に記載の発明であり、ユーザの身体的特徴量（例えば、図５の身体的特徴情報７２２ｂ）を検出する身体的特徴検出手段（例えば、図１の指紋検出センサ１０２２、図２のＣＰＵ１０、身体的特徴検出部１８、図６のステップＳ４）と、この身体的特徴検出手段によって検出された身体的特徴量を有するユーザを判定するユーザ判定手段（例えば、図２のＣＰＵ１０、図６のステップＳ４）と、を備え、前記制御値記憶手段は、ユーザ毎に前記身体的特徴量を対応付けて記憶し、前記ユーザ判定手段によって判定されたユーザを対象にして撮影毎に新しい制御値を累積的に記憶する手段であり、前記統計的特徴値算出手段は、前記ユーザ判定手段によって判定されたユーザに対応付けて記憶されている制御値の統計的な特徴値を算出する手段である、ことを特徴とする。
【００１６】
身体的特徴量とは、例えば、指紋のパターン、瞳の光彩パターン、音声パターンなどユーザのみが有する生態的特徴を示す量である。
請求項４に記載の発明によれば、請求項１〜３の何れか一項に記載の発明と同様の効果を奏するとともに、ユーザの身体的特徴量を検出して、ユーザを識別し、識別したユーザを対象として撮影時の制御値の累積的記憶や統計的特徴値の算出をすることができる。すなわち、ユーザ毎に撮影の傾向に関する情報を記憶し、ユーザ毎に統計的特徴値を算出し表示して知らせることができる。したがって、１つの装置を複数のユーザが使用する環境であっても、確実にユーザの撮影傾向を記憶してユーザに知らせることができる。
【００１７】
請求項５に記載の発明の画像撮影装置は、被写体を電子的に撮影する撮影手段（例えば、図１の撮影レンズ１００４、撮像素子１００６、測光センサ１０２６、制御ユニット１０２０、図２のＣＵ１０、撮影部１２、図１３のステップＳ４０）と、この撮影手段によって撮影された画像を表示する表示手段（例えば、図１のディスプレイ１００８、図２のＣＰＵ１０、表示部４０、図１３のステップＳ４６）と、前記撮影手段によって撮影された画像の画像解析をする画像解析手段（例えば、ＣＰＵ１０、図１３のステップＳ６０）と、この画像解析手段による解析結果（例えば、図１１の解析結果７２２ｆ）を累積的に記憶する解析結果記憶手段（例えば、図１のメモリカード１０１２、スロット１０１４、制御ユニット１０２０、図２のＣＰＵ１０、記憶媒体読取部７０、記憶媒体７２、図１３のステップＳ６０）と、この解析結果記憶手段によって記憶された解析結果の統計的な特徴値（例えば、図１１の統計的特徴値７２２ｇ）を算出する統計的特徴値算出手段（例えば、図１の制御ユニット１０２０、図２のＣＰＵ１０、図１３のステップＳ４８）と、この統計的特徴値算出手段によって算出された特徴値を前記表示手段に表示させるように制御する特徴値表示制御手段（例えば、図２のＣＰＵ１０、図１３のステップＳ１６〜Ｓ１８、図１４の特徴値表示部Ｍ２）と、を備えることを特徴とする。
【００１８】
また、請求項１８に記載の発明のプログラムは、レンズ部を介して被写体を電子的に撮影する撮影手段（例えば、図１の撮影レンズ１００４、撮像素子１００６、測光センサ１０２６、制御ユニット１０２０、）を備えたコンピュータに、この撮影手段によって撮影された画像を表示する表示機能（例えば、図１のディスプレイ１００８、図２のＣＰＵ１０、表示部４０、図１３のステップＳ４６）と、前記撮影手段によって撮影された画像の画像解析をする画像解析機能（例えば、ＣＰＵ１０、図１３のステップＳ６０）と、この画像解析機能による解析結果を累積的に記憶する解析結果記憶機能（例えば、図１のメモリカード１０１２、スロット１０１４、制御ユニット１０２０、図２のＣＰＵ１０、記憶媒体読取部７０、記憶媒体７２、図１３のステップＳ６０）と、この解析結果記憶機能によって記憶された解析結果の統計的な特徴値を算出する統計的特徴値算出機能（例えば、図１の制御ユニット１０２０、図２のＣＰＵ１０、図１３のステップＳ４８）と、この統計的特徴値算出機能によって算出された特徴値を表示させるように制御する特徴値表示制御機能（例えば、図２のＣＰＵ１０、図１３のステップＳ１６〜Ｓ１８、図１４の特徴値表示部Ｍ２）と、を実現させる。
【００１９】
より具体的には、請求項６に記載の発明のように、請求項５に記載の発明において、前記画像解析手段は、前記撮影された画像の輝度の度数分布、又は原色別の輝度の度数分布を求めることで画像解析を実行する分布算出手段を有する、ことを特徴とする。
【００２０】
請求項５及び１８に記載の発明によれば、画像撮影装置は撮影された画像を画像解析して、その解析結果を累積的に記憶することで、ユーザの撮影傾向に関する情報を記憶する。そして、記憶された解析結果の統計的特徴値を算出し表示して、ユーザに知らせることができる。統計的特徴値とは、例えば、平均値、最大値、最小値、最頻度値、所定の帯域ごとの頻度値や割合である。したがって、ユーザは表示された統計的特徴値を見ることで、自身がどのような色味の被写体を好み、どのような色調の画面構成を好む傾向にあるかを知り、そこから撮影された画像の特性や傾向を容易に把握し、自身の撮影傾向に適当なレタッチを判断することが可能となる。
【００２１】
より好適には、請求項７に記載の発明のように、請求項５又は６に記載の発明であって、前記画像解析手段は、前記撮影手段によって撮影された画像が、前記表示手段にプレビュー表示されている間に、当該表示されている画像について画像解析を実行する解析実行タイミング制御手段を有することとしても良い。
【００２２】
請求項７に記載の発明によれば、請求項５又は６に記載の発明と同様の効果を奏するともに、比較的演算処理負荷が大きい画像解析を、撮影された画像がプレビュー表示されている比較的処理負荷の少ない状況において実行させることができる。したがって、画像処理のための待ち時間を少なくし、より使い勝手を良くすることができる。
【００２３】
また、請求項８に記載の発明は、請求項５〜７の何れか一項に記載の発明であって、ユーザの身体的特徴量を検出する身体的特徴検出手段と、この身体的特徴検出手段によって検出された身体的特徴量を有するユーザを判定するユーザ判定手段と、を備え、前記解析結果記憶手段は、ユーザ毎に前記解析結果を対応づけて記憶し、前記ユーザ判定手段によって判定されたユーザを対象にして撮影毎に新たな解析結果を累積的に記憶する手段であり、前記統計的特徴値算出手段は、前記ユーザ判定手段によって判定されたユーザに対応付けて記憶されている前記解析結果について統計的な特徴値を算出する手段である、ことを特徴とする。
【００２４】
身体的特徴量とは、例えば、指紋のパターン、瞳の光彩パターン、音声パターンなどユーザのみが有する生態的特徴を示す量である。
請求項８に記載の発明によれば、請求項５〜７の何れか一項に記載の発明と同様の効果を奏するとともに、ユーザの身体的特徴量を検出して、ユーザを識別し、識別したユーザを対象として撮影された画像に対する画像解析結果の累積的な記憶や、累積的に記憶されている画像解析の結果の統計的特徴値の算出をすることができる。すなわち、ユーザ毎に撮影の傾向に関する情報を記憶し、ユーザ毎に統計的特徴値を算出し表示して知らせることができる。したがって、１つの装置を複数のユーザが使用する環境であっても、確実にユーザの撮影傾向を記憶してユーザに知らせることができる。
【００２５】
請求項９に記載の発明の画像撮影装置は、レンズ部を介して被写体（例えば、図１５のビル９４、寺院９６）を電子的に撮影する撮影手段（例えば、図１の撮影レンズ１００４、撮像素子１００６、測光センサ１０２６、制御ユニット１０２０、図１６のＣＵ１０、撮影部１２）と、この撮影手段によって撮影された画像を表示する表示手段（例えば、図１のディスプレイ１００８、図１６のＣＰＵ１０、表示部４０、図２０のステップＳ４６）と、前記被写体の具備する発信装置（例えば、図１５の被写体情報サーバ９４ａ、無線通信機９４ｂ）から無線発信された、該被写体に関する情報を含む被写体情報を受信する被写体情報受信手段（例えば、図１５の無線通信機１０３０、図１６の通信部５０、図２０の画像傾向記憶処理、図２１のステップＳ８８）と、この被写体情報受信手段で受信した被写体情報を累積的に記憶する被写体情報記憶手段（例えば、図１のメモリカード１０１２、スロット１０１４、制御ユニット１０２０、図１６のＣＰＵ１０、記憶媒体読取部７０、記憶媒体７２、図２１のステップＳ９２）と、この被写体情報記憶手段によって記憶された被写体情報の統計的な特徴値を算出する統計的特徴値算出手段（例えば、図１の制御ユニット１０２０、図１６のＣＰＵ１０、図２０のステップＳ４８）と、この統計的特徴値算出手段によって算出された特徴値を前記表示手段に表示させるように制御する特徴値表示制御手段（例えば、図２のＣＰＵ１０、図２０のステップＳ１６〜Ｓ１８、図２２の特徴値表示部Ｍ２）と、を備えることを特徴とする。
【００２６】
また、請求項１９に記載の発明は、レンズ部を介して被写体を電子的に撮影する撮影手段（例えば、図１の撮影レンズ１００４、撮像素子１００６、測光センサ１０２６、制御ユニット１０２０、図１６のＣＵ１０、撮影部１２）を備えたコンピュータに、この撮影手段によって撮影された画像を表示する表示機能（例えば、図１のディスプレイ１００８、図１６のＣＰＵ１０、表示部４０、図２０のステップＳ４６）と、前記被写体の具備する発信装置から無線発信された、該被写体に関する情報を含む被写体情報を受信する被写体情報受信機能（例えば、図１５の無線通信機１０３０、図１６の通信部５０、図２０の画像傾向記憶処理、図２１のステップＳ８８）と、この被写体情報受信機能で受信した被写体情報を累積的に記憶する被写体情報記憶機能（例えば、図１のメモリカード１０１２、スロット１０１４、制御ユニット１０２０、図１６のＣＰＵ１０、記憶媒体読取部７０、記憶媒体７２、図２１のステップＳ９２）と、この被写体情報記憶機能によって記憶された被写体情報の統計的な特徴値を算出する統計的特徴値算出機能（例えば、図１の制御ユニット１０２０、図１６のＣＰＵ１０、図２０のステップＳ４８）と、この統計的特徴値算出機能によって算出された特徴値を表示させるように制御する特徴値表示制御機能（例えば、図２のＣＰＵ１０、図２０のステップＳ１６〜Ｓ１８、図２２の特徴値表示部Ｍ２）と、を実現させる。
【００２７】
より具体的には、請求項１０に記載の発明のように、請求項９に記載の発明であって、撮影時の地理的位置情報を取得する位置情報取得手段（例えば、図１５の位置情報センサ１０３４、図１６の位置情報取得部１７）と、撮影時の撮影方向を検出する撮影方向検出手段（例えば、図１５の姿勢センサ１０３２、方位センサ１０３６、図１６の撮影方向検出部１９）と、撮影時の前記レンズ部の焦点距離を検出する焦点距離検出手段（例えば、図１６の焦点距離検出部１２８）と、撮影時の被写体距離を検出する被写体距離検出手段（例えば、図１の測距センサ１０２８、図１６の被写体距離測定部１２２）と、前記位置情報取得手段によって取得された地理的位置情報、前記撮影方向検出手段によって検出された撮影方向、前記焦点距離検出手段によって検出された焦点距離及び前記被写体距離検出手段によって検出された被写体距離を、自画像撮影装置の識別情報と対応づけて無線発信する制御値発信手段（例えば、図１５の無線通信機１０３０、図１６の通信部５０、図２１のステップＳ８６）と、を備えることとしても良い。
【００２８】
請求項９及び１９に記載の発明によれば、被写体が具備する発信装置から、該被写体に関する情報を含む被写体情報を受信して累積的に記憶することで、ユーザの撮影傾向に関する情報を記憶する。そして、記憶された被写体情報の内容の統計的特徴値を算出し表示して、ユーザに知らせることができる。したがって、ユーザは表示された統計的特徴値を見ることで、自身がどのような被写体を好んで撮影するかその撮影傾向を知り、そこから撮影された画像の特性や傾向を容易に把握し、自身の撮影傾向に適当なレタッチを判断するといったことが可能となる。
【００２９】
また、請求項１１に記載の発明は、請求項９又は１０に記載の発明であって、ユーザの身体的特徴量を検出する身体的特徴検出手段と、この身体的特徴検出手段によって検出された身体的特徴量を有するユーザを判定するユーザ判定手段と、を備え、前記被写体情報記憶手段は、ユーザ毎に前記被写体情報を対応づけて記憶し、前記ユーザ判定手段によって判定されたユーザを対象にして撮影毎に新たに受信した被写体情報を累積的に記憶する手段であり、前記統計的特徴値算出手段は、前記ユーザ判定手段によって判定されたユーザに対応付けて記憶されている前記被写体情報について統計的な特徴値を算出する手段である、ことを特徴とする。
【００３０】
請求項１１に記載の発明によれば、請求項９又は１０に記載の発明と同様の効果を奏するとともに、ユーザの身体的特徴量を検出して、ユーザを識別し、識別したユーザを対象として被写体情報の累積的な記憶や、累積的に記憶されている被写体情報の統計的特徴値の算出をすることができる。すなわち、ユーザ毎に撮影の傾向に関する情報を記憶し、ユーザ毎に統計的特徴値を算出し表示して知らせることができる。したがって、１つの装置を複数のユーザが使用する環境であっても、確実にユーザの撮影傾向を記憶してユーザに知らせることができる。
【００３１】
請求項１２に記載の発明は、請求項１〜１１の何れか一項に記載の発明であって、複数種類のフォトレタッチプログラムを記憶するフォトレタッチプログラム記憶手段（例えば、図３のＲＯＭ３０、レタッチプログラム群３７）と、前記統計的特徴値算出手段によって算出された特徴値に基づいて前記各フォトレタッチプログラムに優先度（例えば、図５の優先度設定値７２２ｅ）を設定する優先度設定手段（例えば、図２のＣＰＵ１０、図４の優先度設定ＴＢＬ３９、図６のステップＳ５０〜Ｓ５２）と、この優先度設定手段によって設定された優先度の高い方から順に、当該フォトレタッチプログラムの識別子を前記表示手段に表示させるように制御する識別子表示制御手段（例えば、図２のＣＰＵ１０、表示部４０、図６のステップＳ２８）と、ユーザの操作に基づいて前記複数のフォトレタッチプログラムの中から何れかを選択する選択手段（例えば、図２のＣＰＵ１０、操作入力部１４、図６のステップＳ３０）とこの選択手段によって選択されたフォトレタッチプログラムに従って前記撮影手段によって撮影された画像に画像処理を実行する画像処理手段（例えば、図２のＣＰＵ１０、図６のステップＳ３２）と、を備えることを特徴とする。
【００３２】
請求項１２の発明によれば、請求項１〜１１の何れか一項に記載の発明と同様の効果を奏するとともに、複数種類のフォトレタッチプログラムを予め記憶しておいて、ユーザの撮影傾向を示す情報である統計的特徴値に基づいて該プログラムに優先度を設定し、この優先度の高い順にその識別子を表示させてユーザに提示することができる。そして、ユーザがこの表示をみてフォトレタッチプログラムを選択すると、選択されたフォトレタッチプログラムに従って撮影された画像に画像処理を施すことができる。
すなわち、ユーザの撮影傾向から撮影された画像を補正するのにより適当と判断される順にフォトレタッチの種類を提示できるので、ユーザが多数のプログラムの中から一々撮影傾向を自身で判断して、適切なプログラムを判断するのを手助けし、より簡単に且つ適切にフォトレタッチを実現できる。
【００３３】
また、請求項１３に記載の発明は、請求項１２に記載の発明であって、前記フォトレタッチプログラム記憶手段に、任意の追加プログラムと当該追加プログラムの優先度とを対応づけて記憶させるプログラム追加手段（例えば、図１のメモリカード１０１２、スロット１０１４、図２の記憶媒体読取部７０、記憶媒体７２、図５の追加プログラム記憶領域７２３Ｒ、図６のステップＳ１０〜Ｓ１２）を備え、前記識別子表示制御手段は、前記フォトレタッチプログラム毎に設定された優先度と、前記追加プログラムの優先度とを比較し、優先度の高い方から順に、前記フォトレタッチプログラム及び前記追加プログラムの識別子を表示制御する手段であることを特徴とする。
【００３４】
請求項１３に記載の発明によれば、請求項１２に記載の発明と同様の効果を奏するとともに、レタッチが可能な任意のフォトレタッチプログラムを追加して記憶することができる。そして、予め記憶されているフォトレタッチプログラムと追加プログラムとを合わせて選択肢とし、優先度の高い順にその識別子を表示させることができる。したがって、ユーザは既存のフォトレタッチプログラムと同様に、別のレタッチ処理が可能な追加プログラムを任意に利用することが可能となり、より使い勝手が向上する。
【００３５】
請求項１４に記載の発明は、請求項１〜１１の何れか一項に記載の発明であって、複数種類のフォトレタッチプログラムを記憶するフォトレタッチプログラム記憶手段と、前記統計的特徴値算出手段によって算出された特徴値に基づいて前記各フォトレタッチプログラムに優先度を設定する優先度設定手段と、この優先度設定手段によって設定された優先度の高い方から順に、所定数のフォトレタッチプログラムを選択し、選択したフォトレタッチプログラムに従って前記撮影手段によって撮影された画像に自動的に画像処理を実行する画像処理手段（例えば、図２のＣＰＵ１０、図６のステップＳ６〜Ｓ８、ステップＳ２０〜Ｓ２４、図８のメニュー選択肢Ｍ５−１）と、を備えることを特徴とする。
【００３６】
請求項１４に記載の発明によれば、請求項１〜１１の何れか一項に記載の発明と同様の効果を奏するとともに、複数種類のフォトレタッチプログラムを予め記憶しておいて、ユーザの撮影傾向を示す情報である統計的特徴値に基づいて該プログラムに優先度を設定し、この優先度の高い順に所定数のフォトレタッチプログラムを自動実行させて、撮影された画像に対して自動的にユーザの撮影傾向に適した画像処理を施すことができる。
【００３７】
また、請求項１５に記載の発明は、請求項１４に記載の発明であって、前記フォトレタッチプログラム記憶手段に、任意の追加プログラムと当該追加プログラムの優先度とを対応づけて記憶させるプログラム追加手段を備え、前記画像処理手段は、前記フォトレタッチプログラム毎に設定された優先度と、前記追加プログラムの優先度とを比較し、より優先度の高い方から順に所定数のフォトレタッチプログラムを選択して画像処理を実行する手段である、ことを特徴とする。
【００３８】
請求項１５に記載の発明によれば、請求項１４に記載の発明と同様の効果を奏するとともに、レタッチが可能な任意のフォトレタッチプログラムを追加して記憶することができる。そして、予め記憶されているフォトレタッチプログラムと追加プログラムとを合わせて選択肢とし、優先度の高い順に所定数を選択して自動実行させることができる。
【００３９】
より好適には、請求項１６に記載の発明のように、請求項１３又は１５に記載の発明であって、前記プログラム追加手段は、ユーザ操作に従って、前記画像処理手段が実行可能な複数のスクリプトを編集して前記追加プログラムを作成する追加プログラム作成手段（例えば、図２のＣＰＵ１０、操作入力部１４、表示部４０、図７のステップＳ７０〜Ｓ７２）と、この追加プログラム作成手段によって作成された追加プログラムの優先度を、ユーザ操作に従って設定する追加プログラム優先度設定手段（例えば、図２のＣＰＵ１０、操作入力部１４、表示部４０、図７のステップＳ７４）と、を有することとしても良い。
【００４０】
請求項１６に記載の発明によれば、請求項１３又は１５に記載の発明と同様の効果を奏するとともに、簡単な操作で追加プログラムの作成が可能となり、別途パソコン等で作成したのちに画像撮影装置に転送するといった手間が無く、使い勝手が向上する。
【００４１】
請求項２０に記載の発明の画像撮影装置は、被写体を電子的に撮影する撮影部（例えば、図１の撮影レンズ１００４、撮像素子１００６、測光センサ１０２６、制御ユニット１０２０、図２のＣＵ１０、撮影部１２、図６のステップＳ４０）とこの撮影部によって撮影された画像を表示する表示部（例えば、図１のディスプレイ１００８、図２のＣＰＵ１０、表示部４０、図６のステップＳ４６）とを備えている画像撮影装置において、前記撮影部による撮影に基づいて撮影傾向に関する撮影傾向情報を記憶する撮影傾向情報記憶手段（例えば、図１のメモリカード１０１２、スロット１０１４、制御ユニット１０２０、図２のＣＰＵ１０、記憶媒体読取部７０、記憶媒体７２、図５の撮影傾向情報７２２、図６のステップＳ４４、Ｓ４８）と、この撮影傾向情報記憶手段によって記憶された撮影傾向情報を前記撮影部による撮影の際に前記表示手段に表示させるように制御する表示制御手段（例えば、図２のＣＰＵ１０、図６のステップＳ１６〜Ｓ１８、図８の特徴値表示部Ｍ２）と、を備えることを特徴とする。
【００４２】
請求項２０に記載の発明によれば、画像撮影装置はユーザの撮影傾向に関する情報を記憶し、撮影の際に表示してユーザに知らせることができる。したがって、ユーザは表示された自身の撮影傾向についての情報を見ることで、そこから撮影された画像の特性や傾向を容易に把握し、自身の撮影傾向にどのようなレタッチが適当かを判断することが可能となる。
【００４３】
請求項２１に記載の発明は、請求項２０に記載の画像撮影装置であって、前記表示制御手段による制御により撮影傾向情報が表示された後において、前記撮影部による撮影が行われた際に前記撮影傾向情報に対応した画像処理を行う画像処理手段（例えば、図２のＣＰＵ１０、図４の優先度設定ＴＢＬ３９、図５の優先度設定値７２２ｅ、図６のステップＳ３２、ステップＳ５０〜Ｓ５２）を更に備えることを特徴とする。
【００４４】
請求項２１に記載の発明によれば、請求項２０に記載の発明と同様の効果を奏するとともに、撮影傾向情報に対応した画像処理を行うことができる。したがって、ユーザの撮影傾向に適切なレタッチを簡単に実行することができる。
【発明の効果】
【００４５】
本発明によれば、画像撮影装置は撮影時の制御値を累積的に記憶することで、ユーザの撮影傾向に関する情報を記憶する。そして、記憶された制御値の統計的特徴値を算出し表示して、ユーザに知らせることができる。したがって、ユーザが表示された統計的特徴値を見て、自身の撮影傾向を知り、そこから撮影された画像の特性や傾向を容易に把握し、自身の撮影傾向に適当なレタッチを判断するのを手助けすることができる。
【００４６】
また、撮影された画像を画像解析することによって、その解析結果を累積的に記憶し、その統計的特徴値を算出しユーザに知らせることができる。したがって、ユーザが表示された統計的特徴値を見て、自身がどのような色味の被写体を好み、どのような色調の画面構成を好む傾向にあるかを知り、そこから撮影された画像の特性や傾向を容易に把握し、自身の撮影傾向に適当なレタッチを判断するのを手助けすることができる。
【００４７】
また、被写体の具備する発信装置から被写体に関する情報を含む被写体情報を受信して、累積的に記憶し、その統計的特徴値を算出してユーザに知らせることができる。したがって、ユーザが表示された統計的特徴値を見て、自身がどのような被写体を好んで撮影するかその撮影傾向を知り、そこから撮影された画像の特性や傾向を容易に把握し、自身の撮影傾向に適当なレタッチを判断するのを手助けすることができる。
【００４８】
また、画像撮影装置はユーザの撮影傾向に関する情報を記憶し、それを撮影の際に表示することによって、ユーザが撮影された画像の特性や傾向を容易に把握し、自身の撮影傾向にどのようなレタッチが適当かを判断するのを助けることができる。
【発明を実施するための最良の形態】
【００４９】
本発明を実施するための最良の形態として、静止画の撮影を主とするデジタルカメラを例に挙げて説明する。尚、本発明は、デジタル撮影の機能を有する携帯電話機や、ＰＤＡ（パーソナルデジタルアシスタント）、ノートパソコン、腕時計、ビデオカメラといった機器であれば同様に適用可能である。
【００５０】
〔第１実施形態〕
先ず第１実施形態として、絞りやシャッタースピードといった撮影時のデジタルカメラの制御値に基づいてユーザの撮影傾向に関する情報を記憶し、撮影傾向に応じたレタッチプログラムを簡単に使うことができるデジタルカメラについて説明する。
【００５１】
図１は、本実施形態におけるデジタルカメラ１０００の概観図であって、（ａ）は正面斜視図、（ｂ）は背面斜視図である。
デジタルカメラ１０００は、被写体の像をデジタル画像として記憶する電子機器である。同図に示すように、デジタルカメラ１０００は、
（１）被写体を撮影フレームに収めるように狙うためのファインダー１００２と、
（２）ＡＦ（オートフォーカス）機能とズーム機能を備えた撮影レンズ１００４と、
（３）撮影レンズ１００４を通して入射した光（対象物の像）をデジタル信号に変換するＣＣＤ（Charge Coupled Diode）、ＣＭＯＳ（Complementary Metal Oxide Semiconductor）といった撮像素子１００６と、
（４）撮像された画像をプレビュー表示するＬＣＤ（Liquid Crystal Display）やＥＬＤ（Electronic Luminescent Display）といったディスプレイ１００８と、
（５）シャッターボタン１０１０と、
（６）撮影された画像のデータを記憶（保存）するメモリカード１０１２が着脱自在なスロット１０１４と、
（７）各種の操作を入力するための方向キーやボタンスイッチ等の入力キー１０１６と、
（８）演算処理によって装置を統合的に制御する制御ユニット１０２０と、
（９）デジタルカメラ１０００の撮影時のブレを検出するセンサであるブレ検出センサ１０２４と、
（１０）露出決定のための光量を計測する測光センサ１０２６と、
（１１）被写体までの被写体距離を計測する測距センサ１０２８と、
（１２）被写体に投光するフラッシュ１０２９と、電源（図示略）と、を備える。
【００５２】
シャッターボタン１０１０は、更にその上面に指紋検出センサ１０２２を備え、シャッターを押すユーザの指紋パターンを検出することができる。
制御ユニット１０２０は、演算処理を実行するＣＰＵ（Central  Processing  Unit）１０と、ＲＡＭ（Random Access Memory）２０と、ＲＯＭ（Read  Only  Memory）３０とを備え、デジタルカメラ１０００の機能を統合的に制御する。
【００５３】
ユーザによって電源スイッチ１０１８が押下されて電源が入れられると、ＣＰＵ１０はＲＯＭ３０から所定のプログラムを自動的に読み出して、デジタルカメラ１０００を撮影可能な状態とする。撮影可能な状態となったならば、ユーザは撮影レンズ１００４を被写体に向けてデジタルカメラ１０００を構え、ファインダー１００２を覗いて撮影する構図を確認する。
【００５４】
撮影レンズ１００４がズーム機能を備えている場合には、所定の入力キー１０１６（例えば、方向キーの上下）を操作して適当にワイド側又はテレ側にズームを変更し、実質焦点距離を変更して画角を決定する。そして、ユーザがシャッターボタン１０１０を半押しすると、制御ユニット１０２０は測距センサ１０２８で測定した被写体距離に応じてＡＦ機能を作動させてピントを合わせるとともに、測光センサ１０２６で測定した光量に応じて絞りとシャッタースピードを決定する。そして、ユーザがシャッターボタン１０１０を押し込むとシャッターが切られ、電子的な撮影が実行される。
【００５５】
シャッターが切られた瞬間の被写体の像は、撮像素子１００６によってデジタル信号に変換されて、１枚の静止画像データとしてメモリカード１０１２に記憶される。そして、一定時間、ディスプレイ１００８にプレビューとして表示される。メモリカード１０１２に記憶された画像は、読み出してディスプレイ１００８に再生表示させたり、適宜不要な画像を消去するなどのファイル操作をすることもできる。
【００５６】
また、デジタルカメラ１０００は、通信回線２に接続する通信端子１０１９を備えており、外部装置との間で撮影された画像のデータの送受をすることができる。例えば、撮影された画像のデータをデジタルカメラ１０００からパソコンに送信し、パソコンで画像処理を施した後、パソコンに接続されたプリンタ等で画像を印刷するといったことが一般的に行われる。尚、ここで言う通信回線２とは、データ授受が可能な通信路を意味し、直接接続のための専用線（専用ケーブル）やＬＡＮ（Local Area Network）の他、電話通信網やケーブル網、インターネット等の通信網を含む意味であり、また通信方法については有線／無線を問わない意味である。
【００５７】
本実施形態では、絞りやシャッタースピードといった撮影時のデジタルカメラの制御値を撮影毎に累積的に記憶する機能を有し、記憶された制御値の統計的な特徴値をディスプレイ１００８に表示する。これによって、ユーザが自身の撮影傾向を把握し、撮影された画像の特性や傾向を判断しやすいようにする。更には、複数種類のレタッチプログラムを予め記憶しておいて、記憶された制御値の統計的な特徴値から、ユーザの撮影傾向に合ったレタッチプログラムを順に表示させ、ユーザの撮影傾向に適切なフォトレタッチを簡単に実行可能にする。
【００５８】
[機能ブロックの説明]
図２は、本実施形態におけるデジタルカメラ１０００の機能構成の一例を示す機能ブロック図である。同図に示すように、デジタルカメラ１０００は、ＣＰＵ１０と、撮影部１２と、操作入力部１４と、揺れ量検出部１６と、ユーザの身体的特徴量を検出する身体的特徴検出部１８と、ＲＡＭ２０と、ＲＯＭ３０と、撮影された画像やテキストを画像出力する表示部４０と、通信回線２を介して外部装置５２とデータ通信可能とする通信部５０と、記憶媒体７２へのデータの読み書きを行う記憶媒体読取部７０とを備える。そして、これらはデータバス８０によって接続されている。
【００５９】
撮影部１２は、被写体の像を光学的に導き電子的に撮影する。像をデジタルデータに変換するとも言う。具体的には、ＣＣＤやＣＭＯＳなどの撮像素子で実現される像感部１２１、被写体距離測定部１２２、ピント調節部１２３、測光部１２４、絞り調節部１２５、シャッター駆動部１２６、ズーム機構を駆動させるズーム駆動部１２７及びズーム機構によって可変された実質焦点距離を検出する焦点距離検出部１２８を有する。その他、図示されていないが、無色透明なガラスや樹脂から形成された光学レンズ群や、各種のカラーフィルターなどを備える。図１では、撮影レンズ１００４や撮像素子１００６、測距センサ１０２８、測光センサ１０２６、ファインダー１００２が撮影部１２に該当する。
【００６０】
被写体距離測定部１２２は、像感部１２１に写っている画像を利用するコントラスト検出方式など、適宜従来のＡＦ技術を用いて実現することができる。被写体距離測定部１２２は、測定した距離値をＣＰＵ１０に出力し、ＣＰＵ１０はピント調節部１２３を制御して自動的に被写体へフォーカスを合わせるように制御する。
【００６１】
ピント調節部１２３は、ＣＰＵ１０からの制御信号によって駆動するリング型の超音波モータなどによって実現できる。
【００６２】
測光部１２４は、計測した光量値をＣＰＵ１０に出力する。ＣＰＵ１０はこの光量値から適切な露出条件を実現する絞りとシャッタースピードとを算出する。そして、シャッターボタン１０１０が押下されたならば、算出した絞りとシャッタースピードとで、絞り調節部１２５とシャッター駆動部１２６とを制御して撮影する。
【００６３】
ズーム駆動部１２７は種々のモータによって実現される。
焦点距離検出部１２８は、ズーム駆動部１２７のモータの駆動量などから、その時点における光学レンズ群の実質焦点距離を検出してＣＰＵ１０に出力する。ＣＰＵ１０は、焦点距離検出部１２８から出力された実質焦点距離を参照しながら、ズーム駆動部１２７のモータを制御する。
【００６４】
操作入力部１４は、ユーザによる各種の入力を受け付け、操作入力信号をＣＰＵ１０に出力する。具体的には、ボタンスイッチ、レバー、ジョグダイヤル、タッチパネルなどによって実現することができる。図１では、シャッターボタン１０１０や入力キー１０１６、電源スイッチ１０１８がこれに該当する。
【００６５】
揺れ量検出部１６は、デジタルカメラ１０００の揺れ量を検出する手段であって、検出した揺れ量をＣＰＵ１０に出力する。例えば、３軸加速度センサや、像感部１２１で撮影されている画像の時間当りのズレを検出する方法によって実現することができる。図１では、ブレ検出センサ１０２４がこれに該当する。
【００６６】
身体的特徴検出部１８は、ユーザの身体的特徴量を検出する手段であって、例えば、指紋の静電電位パターンの計測や、ファインダー１００２を覗くユーザの瞳の光彩パターン、音声パターンの検出によって実現できる。図１では、指紋検出センサ１０２２がこれに該当する。
【００６７】
表示部４０は、撮影部１２で撮影された画像やテキスト、図形などを表示出力する。具体的には、ＬＣＤやＥＬＤといった表示素子やこれらのドライバ回路、表示用のバッファメモリによって実現される。図１では、ディスプレイ１００８がこれに該当する。
【００６８】
記憶媒体７２は、撮影された画像のデータや各種のプログラムやデータを記憶する。具体的には、フラッシュメモリなど着脱自在型な情報記憶媒体によって実現される。図１では、メモリカード１０１２がこれに該当する。
記憶媒体読取部７０は、記憶媒体７２へのデータの書き込みやデータの読み出しをする。具体的には、記憶媒体７２のメディアの種類に応じた読み書き装置、及びそのドライバ回路等によって実現される。図１では、スロット１０１４がこれに該当する。
【００６９】
通信部５０は、通信回線２を介して外部装置５２とのデータ通信を実現する。具体的には、モデムや無線ＬＡＮカードといった有線／無線の通信装置、通信ケーブルの接続端子、及びこれらのドライバ回路などによって実現される。図１では、通信端子１０１９がこれに該当する。
【００７０】
ＣＰＵ１０は、ＲＯＭ３０や記憶媒体７２に記憶されている各種のプログラムやデータを読み出し、ＲＡＭ２０を一時的な記憶領域にしながら演算処理することによって、上記各機能ブロックを制御してデジタルカメラ１０００を統合的に制御する。
【００７１】
図３（ａ）は、本実施形態におけるＲＡＭ２０の記憶領域の構成の一例を示す図である。同図に示すように、本実施形態におけるＲＡＭ２０には、身体的特徴量に基づくユーザ識別結果を格納するユーザ識別子記憶領域２１Ｒと、レタッチ処理の際に画像処理のデータを格納するレタッチ処理データ記憶領域２２Ｒとを有する。
【００７２】
図３（ｂ）及び（ｃ）は、本実施形態におけるＲＯＭ３０に記憶されている情報の一例を示す図である。同図(ｂ)に示すように、本実施形態におけるＲＯＭ３０は、システムプログラム３１と、ユーザ識別プログラム３２と、撮影傾向記憶制御プログラム３３と、撮影傾向表示制御プログラム３４と、スクリプト編集プログラム３５と、レタッチ制御プログラム３６と、レタッチプログラム群３７と、スクリプト情報３８と、優先度設定ＴＢＬ３９とを記憶している。
【００７３】
システムプログラム３１は、デジタルカメラとしての基本的な諸機能を実現させるためのプログラムである。ＣＰＵ１０は、システムプログラム３１を読み出し実行することによって、例えば、各種の初期設定や、ハードウェアの検査及び必要なプログラムのロード等を行う起動処理、ホワイトバランスや各種撮影モードの設定処理、露出の計測処理、露出の計測結果に応じたシャッタースピードと絞りの制御処理、ＡＦ制御処理、シャッターが切られた際に撮影されていた画像の画像データの作成処理、記憶媒体７２への画像の記憶処理、記憶媒体７２に記憶されている画像の管理処理、記憶媒体７２に記憶されている画像の再生表示処理、各種メニュー画面の表示制御処理、内蔵時計機能などを実行することができる。
【００７４】
ユーザ識別プログラム３２は、身体的特徴検出部１８によって検出された身体的特徴量からユーザを識別する機能をＣＰＵ１０に実現させるためのプログラムである。本実施形態では、ユーザがシャッターを押す指の指紋パターンを検出し、予め登録されているパターンと比較することによって識別する。識別方法は、適宜従来の識別技術を用いて実現することができる。
【００７５】
撮影傾向記憶制御プログラム３３は、ＣＰＵ１０にユーザの撮影傾向に関する情報を、撮影が実行される毎に累積的に記憶媒体７２に記憶させる機能を実現させるためのプログラムである。具体的には、制御値取得プログラム３３１を含む。
制御値取得プログラム３３１は、ＣＰＵ１０に撮影部１２から絞り値やシャッタースピード、被写体距離、実質焦点距離といった各制御値を取得するとともに、揺れ量検出部１６から揺れ量を制御値として取得する機能を実現させるプログラムである。
【００７６】
撮影傾向表示制御プログラム３４は、ＣＰＵ１０に記憶媒体７２に累積的に記憶されたユーザの撮影傾向に関する情報（本実施形態では、制御値）を演算処理して、各項目ごとに統計的な特徴値を算出し、該統計的特徴値を表示部４０に表示制御する機能を実現させる。ここで言う統計的特徴値とは、例えば、平均値、最大値、最小値、最頻度値、所定の帯域ごとの頻度値や割合である。
【００７７】
スクリプト編集プログラム３５は、ＣＰＵ１０にスクリプトを編集し、機械語に自動的に翻訳する機能を実現させる。スクリプトとは、機械語への変換作業を自動化して簡単に実行できるようにした簡易プログラムである。
スクリプト情報３８には、複数の種類のスクリプトが予め格納されており、ユーザがスクリプトの種類と実行順番を編集することによって、簡易的なプログラムを作成することができる。具体的には、公知のスクリプト言語によって実現することができる。また、本実施形態ではユーザが新たに作成したプログラム（以下、適宜「追加プログラム」と言う。）に識別子である名称と、実行の優先度とを設定する機能を有し、追加プログラムはレタッチプログラム群３７に含まれるレタッチプログラムと同様にして使用することができる。
【００７８】
レタッチ制御プログラム３６は、ＣＰＵ１０にレタッチプログラム群３７に格納されているレタッチプログラムを読み出して実行し、種々の画像処理を実行する機能を実現させるためのプログラムである。
【００７９】
レタッチプログラム群３７は、各種のレタッチ処理をＣＰＵ１０に実行させるための複数のレタッチプログラムを、該レタッチプログラムの名称と、プログラムコードとを対応付けて予め格納している。例えば、図３（ｃ）に示すように、明暗のメリハリをつけるコントラスト補正プログラム、ハイライト部が白くなっている所謂「白とび」を補正する白とび補正プログラム、朝や夕方といった昼光とは色温度が異なる条件で撮影された画像のカラーバランスを補正する色温度補正プログラム、エッジの強調処理によって主たる被写体のピンぼけを補正するピンぼけ補正プログラムが格納されている。尚、レタッチプログラム群３７に格納させるプログラムはこれら以外にも適宜設定しても構わないのは勿論である。
【００８０】
優先度設定ＴＢＬ３９は、ユーザ毎の撮影傾向に関する情報（本実施形態では、制御値の統計的特徴値）に基づいて、レタッチプログラム群３７に格納されている各レタッチプログラムに優先度を設定する条件と、当該レタッチプログラムの優先度に付加するポイント値とを対応付けて格納している。
【００８１】
図４は、本実施形態における優先度設定ＴＢＬ３９のデータ構成の一例を示す図である。同図に示すように、優先設定ＴＢＬ３９は、特徴値の条件３９ａと、優先度を高める処理の対象とするレタッチプログラムを示す対象プログラムＩＤ３９ｂと、当該レタッチプログラムの優先度を高めるために付加する付加ポイント値３９ｃとを対応付けて格納している。本実施形態では、条件３９ａそれぞれについて、統計的特徴値が該条件を満たしているか否かを判定し、満たしていると判定された場合、対象プログラムＩＤ３９ｂの示すフォトレタッチプログラムの優先度に付加ポイント値３９ｃが加算される。従って、優先度の合計値はユーザの撮影傾向に対応する適合度を示すことになる。
【００８２】
具体的には、例えば同ＴＢＬの第１段目、「シャッタースピードの頻度分布のピーク値（単位；sec）が「１／６０秒」より小さい」（３９ａ−１）の条件を満たす場合、撮影条件が画面にブレが発生しやすい傾向にあると判断することができる。そして、そうした撮影条件において撮影された画像は、輪郭線が不明瞭な場合が多くなるので、輪郭線強調プログラムを実行するのが適当と判断し、該プログラムの優先度に「２」ポイント加算することを示している。また、同条件では更に、被写体をより明確に浮かびあがらせるためにピンぼけ補正プログラムを実行するのも適当と判断し、該プログラムの優先度に「１」ポイント加算することを示している。
【００８３】
図５は、本実施形態における記憶媒体７２の記憶領域の構成の一例を示す図である。同図(ａ)に示すように、本実施形態における記憶媒体７２は、撮影部１２で撮影された画像の画像データを保存するための撮影画像記憶領域７２１Ｒと、ユーザ毎の撮影傾向に関する情報を記憶するための撮影傾向情報記憶領域７２２Ｒと、追加プログラム記憶領域７２３Ｒとを有する。
【００８４】
撮影傾向情報記憶領域７２２Ｒに記憶される撮影傾向情報７２２は、例えば同図（ｂ）に示すように、ユーザ識別子７２２ａと、該ユーザの身体的特徴情報７２２ｂと、撮影毎の各制御値７２２ｃと、制御値の各項目毎の統計的特徴値７２２ｄと、レタッチプログラムに設定された優先度設定値７２２ｅとを対応づけて格納する。身体的特徴情報７２２ｂは、身体的特徴検出部１８の検出結果と比較してユーザを識別するための基準となる情報である。例えば、本実施形態では指紋のパターン情報が格納されている。
【００８５】
統計的特徴値７２２ｄは、各制御値の項目に対応して、平均値や頻度分布のピーク値、頻度割合などを適宜格納する。例えば、「シャッタースピード」の項目７２２ｃ−２については、平均値とピーク値とを格納する。また、「フラッシュ」の項目７２２ｃ−５についてはフラッシュを使用した割合と、使用時の被写体距離の平均値とを格納する。「揺れ量」の項目７２２ｃ−６については、揺れ量検出部１６で検出された揺れ量が所定の基準条件を満たす場合に「手ブレあり」を示すフラグなどを格納する。或いは、具体的な揺れの方向やそのときの振幅・周期などを格納するとしても良い。尚、制御値の項目は同図の例に限らず、適宜設定して良いのは勿論である。
【００８６】
優先度設定値７２２ｅは、レタッチプログラム毎に優先度設定ＴＢＬ３９を参照して設定されたポイントの合計値を対応付けて格納する。すなわち、ここに格納されている優先度のポイントは、該当するフォトレタッチプログラムがユーザの撮影スタイルから生じると予測される画像の問題を補正するのに適する度合を示している。
【００８７】
追加プログラム記憶領域７２３Ｒは、スクリプトを編集してユーザが新たに作成した追加プログラムの名称（識別子）と、規定の優先度と、ＣＰＵ１０が実行可能な実行コードとを対応付けて記憶する。例えば、他のレタッチプログラムより先に実行させたいとユーザが望む場合、規定の優先度をレタッチプログラムに設定されうる優先度のポイント合計より高く設定しておくと良い。
【００８８】
［処理の流れの説明］
次に、処理の流れについて説明する。
図６は、本実施形態における処理の流れについて説明するためのフローチャートである。ここで説明される処理は、ＣＰＵ１０がシステムプログラム３１、ユーザ識別プログラム３２、撮影傾向記憶制御プログラム３３、撮影傾向表示制御プログラム３４、スクリプト編集プログラム３５及びレタッチ制御プログラム３６を読み出して実行することによって実現される。
【００８９】
まず、ユーザによって電源スイッチ１０１８が押下されて電源が投入されると起動処理が実行され、ＣＰＵ１０はＲＯＭ２０からシステムプログラム３１を読み出して、デジタルカメラ１０００を起動させる（ステップＳ２）。
【００９０】
次に、ＣＰＵ１０はユーザ識別プログラム３２を読み出してユーザの識別処理を実行する（ステップＳ４）。具体的には、ユーザがシャッターボタン１０１０に触れると、指紋検出センサ１０２２がユーザの指紋パターンを検出する。ＣＰＵ１０は、検出された指紋パターンと撮影傾向情報７２２の身体的特徴情報７２２ｂとを照らし合わせてユーザを識別する。識別の結果、ユーザ識別子７２２ａのコピーをＲＡＭ２０のユーザ識別子記憶領域２１Ｒに格納して、常に現在デジタルカメラ１０００を使用しているユーザが誰かを確認できるようにする。以下の処理において処理対象とされる撮影傾向情報７２２は、ユーザ識別子記憶領域２１Ｒに格納されたユーザ識別子に対応するものである。
【００９１】
ユーザの識別処理が終了したならば、デジタルカメラとして使用可能になり、所定の入力キー１０１６を操作することによって各種の機能設定や機能の呼び出しが可能となる。
【００９２】
機能設定の呼び出しの１つとして、ユーザによって画像処理の自動実行に関する機能設定の操作がされた場合（ステップＳ６；ＹＥＳ）、ＣＰＵ１０は画像処理の自動実行を「する／しない」を示すフラグを切り換えてＲＡＭ２０に格納する（ステップＳ８）。ここで言う画像処理の自動実行とは、撮影された画像にユーザの撮影傾向に応じたレタッチ処理を自動的に実行するか否かの設定である。
【００９３】
また、機能設定の呼び出しの１つとして、ユーザによって追加プログラムの作成操作がされた場合（ステップＳ１０；ＹＥＳ）、ＣＰＵ１０はスクリプト編集プログラム３５を読み出して、追加プログラム作成処理を実行する（ステップＳ１２）。
【００９４】
図７は、本実施形態における追加プログラム作成処理の流れについて説明するためのフローチャートである。先ずＣＰＵ１０はスクリプトのリスト編集を実行する（ステップＳ７０）。具体的には、従来のスクリプト言語のリスト編集と同様にして、例えばスクリプトの選択肢をメニュー表示してユーザに選択させて、複数のスクリプトが実行順に配列されたリストを作成する。
【００９５】
次に、編集・作成されたスクリプトのリストを機械語へ自動翻訳し、新しい追加プログラムの実行コードを生成する（ステップＳ７２）。そして、ユーザによる操作に従って、当該追加プログラムの識別子と規定優先度とを入力し（ステップＳ７４）、入力された識別子と規定優先度と実行コードとを対応づけて、追加プログラム記憶領域７２３Ｒに記憶させ（ステップＳ７６）、追加プログラム作成処理を終了する。
【００９６】
図６において、ユーザによってシャッターボタン１０１０が押下され、シャッターが切られた場合（ステップＳ１４；ＹＥＳ）、従来のデジタルカメラと同様にして撮影処理を実行して画像を撮影する（ステップＳ４０）。すなわち、像感部１２１から画素毎に得られた電位を読み出し、１枚の画像データを生成する。
【００９７】
次に、撮影された画像データをメモリカード１０１２に保存する（ステップＳ４２）。そして、ＣＰＵ１０は制御値取得プログラム３３１を読み出して実行し、撮影部１２及び揺れ量検出部１６から、撮影時の各制御値を取得して撮影傾向情報７２２に格納する（ステップＳ４４）。そして、ディスプレイ１００８に、撮影された画像のプレビューを所定時間（例えば、２ｓｅｃ）表示させる（ステップＳ４６）。
【００９８】
プレビューをディスプレイ１００８に表示させている間に、ＣＰＵ１０はステップＳ４４において新たに記憶された制御値を含めて、各項目の統計的特徴値７２２ｄをそれぞれ算出し直し更新する（ステップＳ４８）。
【００９９】
そして、優先度設定ＴＢＬ３９を参照して（ステップＳ５０）、更新された統計的特徴値７２２ｄに基づいてレタッチプログラム毎に優先度を設定する（ステップＳ５２）。具体的には、優先度設定ＴＢＬ３９の条件３９ａそれぞれについて、撮影傾向情報７２２の統計的特徴値７２２ｄが該条件を満たすか否か判定する。そして、条件を満たすと判定した場合に、対象プログラムＩＤ３９ｂのレタッチプログラムに対応する優先度設定値７２２ｅの優先度に付加ポイント値３９ｃを加算する。すなわち、ステップＳ４４〜Ｓ５２が、本実施形態におけるユーザの撮影傾向に関する情報を記憶する処理に相当する。
【０１００】
撮影が成された後、ユーザによって撮影傾向の表示操作がされたならば（ステップＳ１６；ＹＥＳ）、ＣＰＵ１０は制御値の統計的特徴値７２２ｄをディスプレイ１００８に表示させる（ステップＳ１８）。
【０１０１】
また、ＲＡＭ２０に格納されている、画像処理の自動実行を「する／しない」を示すフラグが自動実行「する」に設定されている場合（ステップＳ２０；ＹＥＳ）、ＣＰＵ１０は撮影傾向情報７２２の優先度設定値７２２ｅを参照し、優先度が所定の基準値を超えるレタッチプログラム及び追加プログラム、又は優先度上位から所定数のレタッチプログラム及び追加プログラムを選択し（ステップＳ２２）、選択されたプログラムを読み出して実行し、直近に撮影された画像にレタッチ処理を施し（ステップＳ２４）、記憶媒体７２に格納さている該画像の画像データを画像処理後の画像データに書き換える（ステップＳ３６）。
【０１０２】
画像処理の設定のフラグが自動実行「しない」に設定されていて（ステップＳ２０；ＮＯ）、更にユーザによって所定の画像処理機能の呼び出し操作がされた場合（ステップＳ２６；ＹＥＳ）、ＣＰＵ１０は撮影傾向情報７２２の優先度設定値７２２ｅを参照し、優先度の大きさ順にレタッチプログラム及び追加プログラムの識別子（名称）をディスプレイ１００８にメニュー表示させる（ステップＳ２８）。
【０１０３】
ユーザがメニュー表示からプログラムを選択すると（ステップＳ３０）、ＣＰＵ１０は選択されたプログラムを読み出して実行し、直近に撮影された画像に画像処理を施し、その結果をディスプレイ１００８に表示させる（ステップＳ３２）。ユーザが画像処理後の画像を見て結果を良好と判断し、保存の操作を行うと（ステップＳ３４；ＹＥＳ）、ＣＰＵ１０は記憶媒体７２に格納さている該画像の画像データを画像処理後の画像データに書き換える（ステップＳ３６）。
【０１０４】
[表示画面例の説明]
図８と図９は、本実施形態における画面例を示す図である。
図８（ａ）は、ステップＳ４６に相当し、撮影された画像３ａがプレビュー表示されている画面を示している。また、同画面には、画像データにつけられたファイル名３ｂと、入力キー１０１６に対応して種々の機能が呼び出し可能なメニュー３ｃとが表示される。例えば、ここで、「設定」のメニューに対応する入力キー１０１６を押下すると、従来のデジタルカメラと同様に、画像データのファイル形式の選択やホワイトバランスの選択といった各種の設定メニューが更に呼び出され種々の機能設定することができる。
【０１０５】
「撮影傾向」のメニューに対応する入力キー１０１６を押下すると（ステップＳ１６；ＹＥＳに該当）、ＣＰＵ１０は、例えば図８（ｂ）に示すように、撮影傾向情報７２２に格納されている制御値の各項目の統計的特徴値７２２ｄを表示させる。同図の場合、各制御値の項目が選択可能にメニュー表示Ｍ１で表示され、方向キーなどで項目を選択すると、選択された項目の統計的特徴値７２２ｄが特徴値表示部Ｍ２に表示される。ユーザは、この表示を見て自身の撮影傾向を把握することができる。
尚、特徴値表示部Ｍ２には、統計的特徴値７２２ｄの具体的な数値を表示するのに限らず、撮影傾向情報７２２に格納されている制御値のグラフＭ３や、傾向を言葉で表現したテキストを表示するとしても良い。「傾向を言葉で表現したテキスト」とは、例えば、焦点距離の第１ピークが焦点距離１２５ｍｍである場合、「あなたは望遠を良く使う傾向があります」といったものである。こうしたテキストを予めテキストＴＢＬの形でＲＯＭ３０に記憶させておいて適宜参照する。
【０１０６】
また、「レタッチ」のメニューに対応する入力キー１０１６を押下すると、ＣＰＵ１０は、例えば図８（ｃ）に示すように、レタッチに関する機能を選択可能なメニュー表示Ｍ５を表示させる。ここで、例えば「手動レタッチ」が選択されたならば（ステップＳ２６；ＹＥＳに該当）、例えば図９（ａ）に示すように、ＣＰＵ１０はレタッチプログラム及び追加プログラムの名称（識別子）を選択可能なメニュー表示Ｍ６で表示させる（ステップＳ２８に該当）。
【０１０７】
メニュー表示Ｍ６では、ユーザの撮影傾向に基づく優先度の大きさ順にレタッチプログラム及び追加プログラムの名称が表示されるので、複数の種類のレタッチプログラムが有る場合でも、必要性が高いと思われるプログラムを簡単に選択することができる。特に、レタッチに不慣れな初心者ユーザにとってみれば、名称だけではどのような効果が得られるか分からなくとも、自身の撮影傾向から導かれた順に適当なプログラムが並んでいるので便利である。更には、優先度が所定の基準値を超えたものの名称のみを表示させる、或いは所定基準値を超えた名称を他と異なる表示形態で表示させることによって、プログラムの名称を優先順に表示させるだけでなく、よりユーザが必要十分なプログラムを選択しやすいようにする構成としても良い。
【０１０８】
図９（ａ）の画面で、プログラムを選択したのちに「実行」のメニューに対応する入力キー１０１６を押下すると（ステップＳ３０に該当）、ＣＰＵ１０は選択されているレタッチプログラムを読み出して実行し、例えば図９（ｂ）に示すように、画像にフォトレタッチを施しレタッチ後の画像３ｄを表示させるとしても良い（ステップＳ３２に該当）。そして、ここで「保存」のメニューに対応する入力キー１０１６を押下すると（ステップＳ３４のＹＥＳに該当）、レタッチされた画像が保存される。したがって、ユーザは自身の撮影傾向を確認することができるとともに、自身の撮影傾向に適当なフォトレタッチを簡単に実行することができる。
【０１０９】
例えば、画像処理の自動実行が「する」に設定されている場合（ステップＳ２０のＹＥＳに該当）、図８（ａ）に示すプレビュー画面の後にレタッチプログラムが自動実行されて、例えば図９（ｃ）に示すように表示される。尚、同図に示すように、メニュー３ｃで画像処理の是非をユーザが選択する「ＯＫ」と「取消」を設け、「ＯＫ」が選択された場合に、自動実行されたレタッチを保存し、「取消」が選択された場合には画像処理の自動実行をキャンセルできる構成としても良い。
【０１１０】
以上の処理によって、ユーザは自身の撮影傾向に関する情報を確認できるとともに、撮影傾向に応じたレタッチを簡単に実行することができる。
【０１１１】
〔第２実施形態〕
次に、本発明の第２実施形態として、撮影された画像の色情報を画像解析した結果に基づいてユーザの撮影傾向に関する情報を記憶し、撮影傾向に応じたレタッチを簡単に実現する例を示す。尚、本実施形態は基本的に第１実施形態と同様の構成によって実現可能であり、同様の構成要素については第１実施形態と同じ符合をつけ、説明は適宜省略する。
【０１１２】
図１０は、本実施形態におけるＲＯＭ３０に記憶されている情報の一例を示す図である。同図に示すように、本実施形態におけるＲＯＭ３０は、撮影傾向記憶制御プログラム３３に画像解析プログラム３３２を含んでいる。
【０１１３】
画像解析プログラム３３２は、撮影された画像の色情報を画像解析する機能をＣＰＵ１０に実現させるためのプログラムである。本実施形態では、原色別の輝度分布及び総合輝度の輝度分布を算出する機能や、原色別の輝度分布を比較して特定の原色系の画素が画面を占める面積割合を求める機能を実現させる。
【０１１４】
図１１は、本実施形態における撮影傾向情報７２２−２のデータ構成の一例を示す図である。同図に示すように、本実施形態では撮影された画像毎にＲ（赤）・Ｇ（緑）・Ｂ（青）の各原色成分の輝度分布と、原色成分を合わせた輝度の分布である総合輝度分布とが、解析結果７２２ｆとして撮影傾向情報７２２−２に格納され、解析結果の各項目に対応する統計的特徴値７２２ｇが格納される。
統計的特徴値７２２ｇの具体例としては、例えば当該原色系の色の画素（すなわち、赤なら赤系の色として表示されている画素）の占める平均面積割合や、当該原色の輝度頻度のピーク値がある。その他、適宜設定しても良いのは勿論である。尚、ここで言う原色成分は、ＲＧＢに限らずＣ（シアン）・Ｍ（マゼンタ）・Ｙ（イエロー）を成分としても良いのは勿論であり、使用するカラーフィルターの仕様に応じて設定するのが適当である。
【０１１５】
図１２は、本実施形態における優先度設定ＴＢＬ３９−２のデータ構成の一例を示す図である。同図に示すように、本実施形態では特徴値の条件３９ａとして画像の色情報に関する条件を含む。
具体的には、例えば条件３９ａが「特定原色系の平均面積割合が４０％を超える」（３９ａ−３）の場合、ユーザは該特定原色系の色の被写体を好んで撮影する傾向に有り、特定原色系情報ビット適正配分プログラムを実行するのが適当と判断する。当該プログラムは、例えば、ＣＣＤなどの撮像素子の出力幅３０ビットに対して、画像データの当該特定色の色情報が１２ビットの情報幅しか有していない場合に、当該原色系の色情報の中間成分をより重点的に１２ビットに含めるように情報ビットを適正化する。
また、「特定原色系のヒストグラムのみが高輝度にピークが有る」（３９ａ−４）条件の場合、ユーザが該特定原色系の鮮やかな色の被写体を好んで撮影する傾向に有り、特定原色系彩度強調プログラムを実行するのが妥当と判断する。当該プログラムは、例えば、赤の輝度ピークが他の原色に比べて高輝度に存在する場合、赤の彩度を相対的に高める処理を実行させる。
その他、総合輝度分布が高輝度側に片寄っている場合を条件に、ヒストグラムを調整して、画像の明度分布を平均化させる処理を実行させるプログラムを対応付けるとして良い。
【０１１６】
図１３は、本実施形態における処理の流れを説明するためのフローチャートである。同図に示すように、本実施形態における処理の流れは、基本的に第１実施形態と同様である。本実施形態における特徴的なステップは、シャッターが切られた場合の一連の処理である（ステップＳ１４；ＹＥＳの分岐以降に該当）。
【０１１７】
ＣＰＵ１０は、ステップＳ４６で撮影された画像のプレビューを表示させている間に、画像解析プログラム３３２を読み出して実行し、該画像の画像処理を実行し、解析結果を撮影傾向情報７２２−２の解析結果７２２ｆに格納する（ステップＳ６０）。
そして、ＣＰＵ１０は、ステップＳ４４で新たに記憶された制御値及びステップＳ６０で新たに記憶された解析結果を含めて、各項目の統計的特徴値７２２ｄ，７２２ｇを算出し直して更新する（ステップＳ４８）。
【０１１８】
図１４は、本実施形態における画面例を示す図である。同図（ａ）は、ステップＳ４６に相当し、撮影された画像３ａがプレビュー表示されている画面を示している。また、同画面には、画像データにつけられたファイル名３ｂと、入力キー１０１６に対応して呼び出し可能なメニュー３ｃとが表示される。
【０１１９】
「撮影傾向」のメニューに対応する入力キー１０１６を押下すると（ステップＳ１６；ＹＥＳに該当）、ＣＰＵ１０は、例えば同図（ｂ）に示すように、メニュー表示Ｍ７が表示され、各制御値の項目とともに画像解析の結果として、各原色成分及び総合輝度に関する項目（「総合輝度」「赤色系」「緑色系」「青色系」）が選択可能に表示される。
例えば、「緑色系」が選択された場合には、選択された項目の統計的特徴値７２２ｇが特徴値表示部Ｍ２に表示される。ユーザは、この表示を見て自身が好んで撮影する被写体の色の傾向を把握することができる。尚、特徴値表示部Ｍ２には、統計的特徴値７２２ｇの具体的な数値を表示するのに限らず、当該原色系のヒストグラフＭ８や、傾向を言葉で表現したテキストを表示するとしても良い。「傾向を言葉で表現したテキスト」とは、例えば、赤色が他の原色成分に比べて高輝度にピークが有る場合、「あなたは明るい赤系の被写体を好む傾向があります」といったものである。こうしたテキストを特徴値の値に対応するように予め用意し、例えば、テキストＴＢＬの形でＲＯＭ３０に記憶させておいて適宜参照する。
【０１２０】
そして、本実施形態では、同図（ｃ）に示すように、レタッチプログラム及び追加プログラムには、撮影された画像の色の彩度や明度を補正するレタッチプログラムが選択可能にメニュー表示Ｍ６で表示させる（ステップＳ２８に該当）。
【０１２１】
したがって、ユーザは自身がどのような色味の被写体を好むか、その傾向を確認することができるとともに、自身の撮影傾向に適当なフォトレタッチを簡単に実行することができる。例えば、青空や青い海を撮影するのを好むユーザの場合、青の彩度を高める処理や、青の中間色の色調をよりリッチにする処理といった、ユーザの好みにあった色の調節が簡単に実現できる。
【０１２２】
〔第３実施形態〕
次に、本発明の第３実施形態として、被写体に関する情報を取得してユーザの撮影傾向に関する情報を記憶する例を示す。尚、本実施形態は基本的に第１実施形態と同様の構成によって実現可能であり、同様の構成要素については第１実施形態と同じ符合をつけ、適宜説明を省略する。
【０１２３】
[構成の説明]
図１５は、本実施形態における装置の構成の一例を示す図である。本実施形態におけるデジタルカメラ１００２は、無線通信機１０３０と、撮影方向を検出する姿勢センサ１０３２と、地理的位置情報を取得する位置情報センサ１０３４と、地磁気から方位を検知する方位センサ１０３６とを備えている。
【０１２４】
姿勢センサ１０３２は、例えば、前後左右及び上下の３軸方向の各加速度と、同３軸方向の傾斜量を検出可能な加速度センサによって実現され、各軸方向の加速度量を制御ユニット１０２０に出力する。
位置情報センサ１０３４は、例えばＧＰＳ衛星からの信号を受信や、携帯電話機の基地局からの信号を受信する受信器によって実現され、受信した信号を制御ユニット１０２０に出力する。
方位センサ１０３６は、地磁気センサによって実現され、撮影方向の方位を検出し制御ユニット１０２０に出力する。
【０１２５】
制御ユニット１０２０は、方位センサ１０３６から受信した方位を基準に、姿勢センサ１０３２から出力される傾斜量及び加速度の変化から、撮影レンズ１００４が水平方向としてどの方角を向いて、上下方向にどの程度の仰角を成しているかを算出する。すなわち、撮影方向Ｖｐを求める。そして、制御ユニット１０２０は、ピント調節が終了したならば、カメラの識別情報（カメラＩＤ）と、画角と、撮影方向と、被写体距離とを対応づけて無線通信機１０３０から周囲へ発信する。
【０１２６】
被写体となるランドマークのビル９４や寺院９６は、それぞれ該被写体に関する情報を記憶するとともに無線通信を制御する被写体情報サーバ９４ａ，９６ａと、無線の送受信をするための無線通信機９４ｂ，９６ｂとを備える。
【０１２７】
ここで言う「被写体に関する情報（以下、適宜「被写体情報」とも言う）」とは、例えば、被写体の名称、種類、当該被写体を撮影すると背景として写り込むであろう周囲の環境に関する情報、天候である。周囲の環境関する情報とは、該被写体中心として方位毎に山や海、ビル群など背景の種類を対応づけた情報である。
【０１２８】
[機能ブロックの説明]
図１６は、本実施形態における機能構成の一例を示す機能ブロック図である。同図に示すように、デジタルカメラ１００２は基本的に第１実施形態のデジタルカメラ１０００と同様の構成要素を有する。特には、位置情報取得部１７と撮影方向検出部１９とを有する。
【０１２９】
位置情報取得部１７は、例えば、ＧＰＳ衛星からの信号を受信する受信器や、携帯電話機やＰＨＳの基地局と通信する通信器によって実現され、受信した信号をＣＰＵ１０に出力する。図１５では、位置情報センサ１０３４がこれに該当する。ＣＰＵ１０は、位置情報取得部１７から出力されたＧＰＳ衛星からの信号や基地局からの信号から、デジタルカメラ１００２の地理的位置情報として緯度及び経度を算出する。
【０１３０】
撮影方向検出部１９は、例えば、加速度センサ、傾斜センサ、地磁気センサによって実現され、撮影方向の水平方向成分及び上下方向成分の情報を取得し、ＣＰＵ１０に出力する。図１５では、姿勢センサ１０３２と、地磁気から方位を検知する方位センサ１０３６とがこれに該当する。ＣＰＵ１０は、撮影方向検出部１９から出力された方位を基準に、加速度の変化から、撮影方向Ｖｐの方角と仰角とを算出する。
【０１３１】
本実施形態における通信部５０には、図１５の無線通信機１０３０が該当する。
【０１３２】
図１７は、本実施形態におけるＲＯＭ３０に記憶されている情報の一例を示す図である。同図に示すように、本実施形態におけるＲＯＭ３０は、撮影傾向記憶制御プログラム３３に、撮影方向算出プログラム３３３と、地理的位置情報取得プログラム３３４と、被写体情報取得プログラム３３５とを含んでいる。また、優先度設定ＴＢＬ３９−３と、カメラＩＤ３９−４とを記憶している。
【０１３３】
撮影方向算出プログラム３３３は、ＣＰＵ１０に撮影方向検出部１９からの出力信号からデジタルカメラ１００２の撮影レンズの向きを示す方位と仰角とを算出する機能を実現させる。
地理的位置情報取得プログラム３３４は、ＣＰＵ１０に位置情報取得部１７でＧＰＳ衛星や携帯電話機の基地局などからの位置情報を取得し、緯度と経度を算出する機能を実現させる。
被写体情報取得プログラム３３５は、カメラＩＤ３９−４と、画角と、撮影方向と、被写体距離とを対応づけて通信部５０で発信させて、ランドマークであるビル６４や寺院９６から返信される被写体情報を受信する機能を実現させる。
【０１３４】
図１８は、本実施形態における撮影傾向情報７２２−３のデータ構成の一例を示す図である。同図に示すように、本実施形態では、被写体情報取得プログラム３３５を実行することによって、取得された被写体情報７２２ｈと、被写体情報７２２ｈの各項目毎の統計的特徴値７２２ｊとを格納する。
被写体情報７２２ｈとしては、例えば、被写体の名称、被写体の種類、被写体の背景、及び天候である。「被写体の種類」は、例えばコンクリートなどを主体とする直線的な現代建築であるか、木材等を多用した歴史的建造物であるかである。「被写体の背景」は、例えば、他の現代建築や、山、植物、空、海などである。統計的特徴値７２２ｊは、これら各要素の頻度（割合）を格納する。
【０１３５】
図１９は、本実施形態における優先度設定ＴＢＬ３９−３の一例を示す図である。同図に示すように、本実施形態では特徴値の条件３９ａとして被写体情報に関する条件を含む。具体的には、例えば条件３９ａが「撮影対象として現代建築が４０％を超える」（３９ａ−５）の場合、ユーザは幾何学的な直線が多い被写体を好んで撮影する傾向に有り、輪郭線強調プログラムと、コントラスト強調プログラムとを実行するのが適当と判断する。例えば、輪郭線強調プログラムによって、ビルや橋といった被写体の直線的な部分が強調され、被写体の特徴をより際立たせることができる。
また、条件３９ａが「撮影対象として歴史的建造物が４０％を超える」（３９ａ−６）の場合、ユーザが年月を経た味わい深い色調の被写体を好んで撮影する傾向に有り、中間色の情報ビットをより多く配分する中間色域情報ビット適正配分プログラムを実行するのが妥当と判断する。当該プログラムは、例えば、年月を経た色合いが階調豊かに表現されるように補正して、被写体の特徴をより際立たせるためのプログラムである。
その他、総合輝度分布が高輝度側に片寄っている場合を条件に、ヒストグラムを調整して、画像の明度分布を平均化させる処理を実行させるプログラムを対応付けるといったことをしても良い。
【０１３６】
図１６において、被写体情報サーバ９４ａ，９６ａは、ＣＰＵ９１０と、ＲＡＭ９２０と、ＲＯＭ９３０と、通信部９５０と、記憶媒体９７２からデータを読み書き可能な記憶媒体読取部９７０とを有し、バス９８０によって接続されている同一の構成のサーバである。特には、ＲＡＭ９２０は被写体情報記憶領域９２２Ｒを有し、ビル９４や寺院９６の被写体情報を記憶する。
【０１３７】
ＣＰＵ９１０は、ＲＯＭ９３０或いは記憶媒体９７２に記憶されているプログラムを読み出して実行し、ＲＡＭ９２０をプログラムやデータの一時的な記憶手段として、被写体情報サーバ９４ａ，９６ａを統合的に制御する。
通信部９５０は、図１５の無線通信機９４ｂ，９６ｂに該当する。
【０１３８】
[処理の流れの説明]
図２０は、本実施形態におけるデジタルカメラ１００２における処理の流れについて説明するためのフローチャートである。
本実施形態におけるデジタルカメラ１００２における処理の流れは、基本的に第１実施形態のデジタルカメラ１０００における処理と同様である。特徴的であるステップとしては、シャッターが切られた場合の一連の処理における、画像傾向記憶処理である（ステップＳ６４）。
【０１３９】
図２１は、本実施形態における画像傾向記憶処理の流れについて説明するためのフローチャートである。同図左のフローがデジタルカメラ１００２における処理。同図右のフローが被写体情報サーバ９４ａ，９６ａにおける処理を示しており、通信回線２を介した無線通信を破線矢印で示している。
【０１４０】
同図に示すように、先ずデジタルカメラ１００２では、ＣＰＵ１０が第１実施形態と同様にして制御値取得プログラム３３１を読み出して実行して、撮影部１２及び揺れ量検出部１６からそれぞれの制御値を取得し、撮影傾向情報７２２−３に格納させる（ステップＳ４２）。
【０１４１】
次に、撮影方向算出プログラム３３３を読み出して実行して、撮影方向検出部１９からの出力信号に基づいて撮影方向を算出する（ステップＳ８２）。具体的には、方位センサ１０３６から出力される方位を基準に、姿勢センサ１０３２から出力される傾斜量及び加速度変化から撮影方向（方位と仰角）を算出する。そして、地理的位置情報取得プログラム３３４を読み出して実行して、位置情報取得部１７からの出力信号からデジタルカメラ１００２の緯度と経度とを算出する（ステップＳ８４）。
【０１４２】
撮影方向と地理的位置情報とが求められたならば、ＣＰＵ１０は、カメラＩＤと、実質焦点距離と、撮影方向と、地理的位置情報と、被写体距離と、絞り値とを対応づけて通信部５０を介して無線発信する（ステップＳ８６）。
【０１４３】
被写体情報サーバ９４ａ，９６ａは、デジタルカメラ１００２から無線発信された情報を受信し（ステップＳ１００）、該情報に含まれる実質焦点距離、撮影方向、地理的位置情報及び被写体距離と、被写体情報サーバ９４ａ，９６ａの備えられたランドマークの地理的位置情報や大きさなどの情報とを比較して、該ランドマークが主たる被写体となるか否かを判定する（ステップＳ１０２）。具体的には、デジタルカメラ１００２の地理的位置情報を起点に、撮影方向及び実質焦点距離から求められる画角の範囲内に、該ランドマークが存在し、且つ、実質焦点距離と絞り値と被写体距離とから該ランドマークにピントが合っているか否かを判定する。
【０１４４】
該ランドマークが被写体となっていると判定された場合（ステップＳ１０４；ＹＥＳ）、背景の情報を選択する（ステップＳ１０６）。具体的には、デジタルカメラ１００２の地理的位置情報の示す場所を起点に、撮影方向及び実質焦点距離から求められる画角の範囲内に含まれる該ランドマークの背景を選択する。
【０１４５】
そして、デジタルカメラ１００２から受信した情報に含まれていたカメラＩＤと、被写体情報（ステップＳ１０６で選択された背景に関する情報が含まれている）とを対応づけて無線通信機９４ｂ，９６ｂから無線発信する（ステップＳ１０８）。
図１５の場合では、デジタルカメラ１００２はビル９４を被写体としているので、被写体情報サーバ９４ａは、ビル９４が被写体となっていると判定し、ビル９４の被写体情報を発信する。一方、寺院９６の被写体情報サーバ９６ａは、寺院９６は被写体となっていないと判定し、寺院９６の被写体情報は発信しないことになる。
【０１４６】
デジタルカメラ１００２では、撮影情報を発信した後、所定時間内に被写体情報サーバ９４ａ，９６ａからの被写体情報を受信した場合（ステップＳ８８；ＹＥＳ）、該被写体情報に対応付けられているカメラＩＤが自身のＩＤと一致するか否かを判定する。一致する場合（ステップＳ９０；ＹＥＳ）、該被写体情報は自身に向けて発信された者と判断し、受信した被写体情報を撮影傾向情報７２２−３の被写体情報７２２ｈに格納し（ステップＳ９２）、本実施形態における画像傾向記憶処理を終了する。
【０１４７】
図２０において、画像傾向記憶処理が終了したならば第１実施形態と同様にして、撮影された画像をプレビュー表示させている間に、統計的特徴値を算出し、算出された統計的特徴値に基づいてレタッチプログラムに優先度を設定する（ステップＳ４６〜Ｓ５２）。以下、第１実施形態と同様の処理の流れであるので説明を省略する。
【０１４８】
図２２は、本実施形態における画面例を示す図である。  同図（ａ）は、図２０のステップＳ４６に相当し、撮影された画像３ａがプレビュー表示されている画面を示している。また、同画面には、画像データにつけられたファイル名３ｂと、入力キー１０１６に対応して呼び出し可能なメニュー３ｃとが表示される。
【０１４９】
「撮影傾向」のメニューに対応する入力キー１０１６を押下すると（図２０のステップＳ２６；ＹＥＳに該当）、ＣＰＵ１０は、例えば同図（ｂ）に示すように、メニュー表示Ｍ９が表示され、被写体に関する項目（「被写体種類」の項目）が選択可能に表示される。例えば、「被写体種類」が選択された場合には、被写体種類に関する統計的特徴値７２２ｊが特徴値表示部Ｍ２に表示される。ユーザは、この表示を見て自身が好んで撮影する被写体の種類を把握することができる。
【０１５０】
そして、本実施形態では、同図（ｃ）に示すように、レタッチプログラム及び追加プログラムには、撮影された被写体の特徴をより際立たせるように補正するレタッチプログラムが選択可能にメニュー表示Ｍ１０で表示させる（図２０のステップＳ２８に該当）。
【０１５１】
したがって、ユーザは自身がどのような種類の被写体を好むか、その傾向を確認することができるとともに、嗜好する被写体の特徴を引きたてるための適当なフォトレタッチを簡単に実行することができる。例えば、都市風景を多く撮影するユーザの場合、現代建築が被写体となる割合が高くなり、エッジやコントラスト強調された、よりシャープな画像とすることができる。
【０１５２】
以上、本発明を適用した実施形態について説明したが、本発明の適用がこれらに限定されるものではなく、発明の趣旨を逸脱しない限りにおいて、適宜構成要素の追加や変更、省略をしても構わない。
【０１５３】
例えば、ユーザの識別を指紋パターンによって行うとしたが、例えば、ユーザの瞳の光彩パターンや音声パターンで行うとしても良い。例えば、前者の場合、ファインダー１００２内にユーザの瞳を撮影するための撮像素子を設け、光彩のパターンを取得する。そして、撮影傾向７２２の身体的特徴情報７２２ｂに登録されている光彩パターンと比較してユーザを識別する。光彩パターンの比較アルゴリズムは、適宜公知の技術を適用して実現できる。また、後者の場合では、デジタルカメラ１０００，１００２にマイクロフォンなどの集音装置を設け、例えばユーザの名前などの発音を集音する。そして、撮影傾向７２２の身体的特徴情報７２２ｂに登録されているユーザの名前の発音パターンと比較してユーザを識別する。音声パターンの比較アルゴリズムは、適宜公知の技術を適用して実現できる。
【図面の簡単な説明】
【０１５４】
【図１】第１実施形態におけるデジタルカメラの概観図。
【図２】第１実施形態におけるデジタルカメラの機能構成の一例を示す機能ブロック図。
【図３】（ａ）第１実施形態におけるＲＡＭの記憶領域の構成の一例を示す図。  （ｂ）及び（ｃ）第１実施形態におけるＲＯＭに記憶されている情報の一例を示す図。
【図４】第１実施形態における優先度設定ＴＢＬのデータ構成の一例を示す図。
【図５】第１実施形態における記憶媒体の記憶領域の構成の一例を示す図。
【図６】第１実施形態における処理の流れについて説明するためのフローチャート。
【図７】第１実施形態における追加プログラム作成処理の流れについて説明するためのフローチャート。
【図８】第１実施形態における画面例を示す図。
【図９】第１実施形態における画面例を示す図。
【図１０】第２実施形態におけるＲＯＭに記憶されている情報の一例を示す図。
【図１１】第２実施形態における撮影傾向情報のデータ構成の一例を示す図。
【図１２】第２実施形態における優先度設定ＴＢＬのデータ構成の一例を示す図。
【図１３】第２実施形態における処理の流れを説明するためのフローチャートである。
【図１４】第２実施形態における画面例を示す図。
【図１５】第３実施形態における装置の構成の一例を示す図。
【図１６】第３実施形態における機能構成の一例を示す機能ブロック図。
【図１７】第３実施形態におけるＲＯＭに記憶されている情報の一例を示す図。
【図１８】第３実施形態における撮影傾向情報のデータ構成の一例を示す図。
【図１９】第３実施形態における優先度設定ＴＢＬの一例を示す図。
【図２０】第３実施形態におけるデジタルカメラ１００２での処理の流れについて説明するためのフローチャート。
【図２１】第３実施形態における画像傾向記憶処理の流れについて説明するためのフローチャート。
【図２２】第３実施形態における画面例を示す図。
【符号の説明】
【０１５５】
１２  撮影部
１２１  像感部
１２２  被写体距離測定部
１２３  ピント調節部
１２４  測光部
１２５  絞り調節部
１２６  シャッター駆動部
１２７  ズーム駆動部
１２８  焦点距離検出部
１６  揺れ量検出部
１７  位置情報取得部
１８  身体的特徴検出部
１９  撮影方向検出部
３０  ＲＯＭ
３２  ユーザ識別プログラム
３３  撮影傾向記憶制御プログラム
３３１  制御値取得プログラム
３３２  画像解析プログラム
３３３  撮影方向算出プログラム
３３４  地理的位置情報取得プログラム
３３５  被写体情報取得プログラム
３４  撮影傾向表示制御プログラム
３５  スクリプト編集プログラム
３６  レタッチ制御プログラム
３７  レタッチプログラム群
３９  優先度設定ＴＢＬ（テーブル）
７２  記憶媒体
７２２  撮影傾向情報
７２２ａ  ユーザ識別子
７２２ｂ  身体的特徴情報
７２２ｃ  制御値
７２２ｄ  統計的特徴値
７２２ｅ  優先度設定値
７２２ｆ  解析結果
７２２ｈ  被写体情報
９４ａ，９６ａ  被写体情報サーバ
９４ｂ，９６ｂ  無線通信機
１０００  デジタルカメラ
１０２２  指紋検出センサ
１０２４  ブレ検出センサ
１０３０  無線通信機
１０３２  姿勢センサ
１０３４  位置情報センサ
１０３６  方位センサ
【図１】
2005072949.tif 000003
【図２】
2005072949.tif 000004
【図３】
2005072949.tif 000005
【図４】
2005072949.tif 000006
【図５】
2005072949.tif 000007
【図６】
2005072949.tif 000008
【図７】
2005072949.tif 000009
【図８】
2005072949.tif 000010
【図９】
2005072949.tif 000011
【図１０】
2005072949.tif 000012
【図１１】
2005072949.tif 000013
【図１２】
2005072949.tif 000014
【図１３】
2005072949.tif 000015
【図１４】
2005072949.tif 000016
【図１５】
2005072949.tif 000017
【図１６】
2005072949.tif 000018
【図１７】
2005072949.tif 000019
【図１８】
2005072949.tif 000020
【図１９】
2005072949.tif 000021
【図２０】
2005072949.tif 000022
【図２１】
2005072949.tif 000023
【図２２】
2005072949.tif 000024